【手続補正書】
【提出日】平成18年5月23日(2006.5.23)
【手続補正１】
【補正対象書類名】明細書
【補正対象項目名】特許請求の範囲
【補正方法】変更
【補正の内容】
【特許請求の範囲】
【請求項１】
反射部と透過部とを有する凹凸構造から成る半透過層が形成された半透過型液晶表示装置において、
前記透過部が、前記反射部が形成された領域が有する傾斜角より大きい傾斜角を有する領域を含んで形成されたことを特徴とする半透過型液晶表示装置。
【請求項２】
前記透過部が、前記凹凸構造の凸部の斜面を含んで形成されたことを特徴とする請求項１記載の半透過型液晶表示装置。
【請求項３】
反射部と透過部とを有する凹凸構造から成る半透過層が形成された半透過型液晶表示装置において、
前記透過部が、前記凹凸構造の凸部の下部を含む領域と、前記凸部間の平坦な領域とを含んで形成されたことを特徴とする半透過型液晶表示装置。
【請求項４】
前記平坦な部分が有する傾斜角が、０°以上２°以下であることを特徴とする請求項３記載の半透過型液晶表示装置。
【請求項５】
前記平坦な部分が有する傾斜角が、０°以上４°以下であることを特徴とする請求項３記載の半透過型液晶表示装置。
【請求項６】
前記透過部が、傾斜角が１０°以上の領域を含んで形成されたことを特徴とする請求項１記載の半透過型液晶表示装置。
【請求項７】
前記透過部が、傾斜角が１２°以上の領域を含んで形成されたことを特徴とする請求項１記載の半透過型液晶表示装置。
【請求項８】
前記透過部が、傾斜角が１５°以上の領域を含んで形成されたことを特徴とする請求項１記載の半透過型液晶表示装置。
【請求項９】
前記透過部の少なくとも一部が透明電極を有しないことを特徴とする請求項１記載の半透過型液晶表示装置。
【請求項１０】
前記透過部が透明電極を有し、前記反射部が反射層上に透明電極を有することを特徴とする請求項１記載の半透過型液晶表示装置。
【請求項１１】
反射部と透過部とを有する凹凸構造から成る半透過層が形成された半透過型液晶表示装置において、
前記透過部が、前記凸部の頂点を含み、更に前記頂点を中心として対称に形成されたことを特徴とする半透過型液晶表示装置。
【請求項１２】
反射部と透過部とを有する凹凸構造から成る半透過層が形成された半透過型液晶表示装置において、
前記凹凸構造の凸部の断面が複数の傾斜面から成る非対称形状を有し、且つ、前記透過部が前記非対称形状の急峻な傾斜面に設けられていることを特徴とする半透過型液晶表示装置。
【請求項１３】
反射部と透過部とを有する凹凸構造から成る半透過層が形成された半透過型液晶表示装置において、
前記凹凸構造の凸部の断面形状が台形状であり、且つ、前記透過部が、少なくとも前記台形形状の上面の一部を含む領域に形成されたことを特徴とする半透過型液晶表示装置。
【請求項１４】
前記凸部の上面形状が、多角形であることを特徴とする請求項１３記載の半透過型液晶表示装置。
【請求項１５】
反射部と透過部とを有する凹凸構造から成る半透過層が形成された半透過型液晶表示装置において、
前記透過部が、前記凹凸構造の凸部の頂点を含む領域と、凹部の底部を含む領域とに形成されたことを特徴とする半透過型液晶表示装置。
【請求項１６】
前記凸部の頂点と透過部が形成された凹部との領域が、ほぼ平坦であることを特徴とする請求項１５記載の半透過型液晶表示装置。
【請求項１７】
前記透過部が、互いに独立して形成されたことを特徴とする請求項１又は３記載の半透過型液晶表示装置。
【請求項１８】
前記透過部が、ランダムに配置されたことを特徴とする請求項１又は３記載の半透過型液晶表示装置。
【請求項１９】
前記透過部が、互いに一部が繋がった連続的な形状から成ることを特徴とする請求項１又は３記載の半透過型液晶表示装置。
【請求項２０】
前記反射部が、互いに一部が繋がった連続的な形状から成ることを特徴とする請求項１又は３記載の半透過型液晶表示装置。
連続的な形状から成ることを特徴とする請求項３記載の半透過型液晶表示装置。
【請求項２１】
反射部と透過部とを有する凹凸構造から成る半透過層が形成された半透過型液晶表示装置において、
前記凹凸構造上に、カラーフィルタ層が形成され、前記凹凸構造における凸部上のカラーフィルタ層の厚みをｄ１、凹部上のカラーフィルタ層の厚みをｄ２としたときに、ｄ１＜ｄ２が成り立つことを特徴とする半透過型液晶表示装置。
【請求項２２】
前記ｄ２が、前記ｄ１の略２倍であることを特徴とする請求項２１記載の半透過型液晶表示装置。
【請求項２３】
基板上のゲート配線と一部が重なる凹凸構造から成る半透過層が形成された半透過型液晶表示装置において、
前記凹凸構造が前記ゲート配線と重なる部分の静電容量が、液晶パネルのゲート書き込み側からの距離が増加するに従い、減少することを特徴とする半透過型液晶表示装置。
【請求項２４】
前記凹凸構造が前記ゲート配線と重なる部分の平均的な層厚が、液晶パネルのゲート書き込み側からの距離が増加するに従い、増加することを特徴とする請求項２３記載の半透過型液晶表示装置。
【請求項２５】
前記ゲート配線と重なる部分に存在する前記凹凸構造の凸部と凹部の面積比率が、液晶パネルのゲート書き込み側からの距離が増加するに従い、凸部の面積比率が増加することを特徴とする請求項２４記載の半透過型液晶表示装置。
【請求項２６】
基板上のソース配線と一部が重なる凹凸構造から成る半透過層が形成された半透過型液晶表示装置において、
前記凹凸構造が前記ソース配線と重なる部分の静電容量が、液晶パネルのゲート書き込み側からの距離が増加するに従い、減少することを特徴とする半透過型液晶表示装置。
【請求項２７】
前記凹凸構造が前記ソース配線と重なる部分の平均的な層厚が、液晶パネルのゲート書き込み側からの距離が増加するに従い、増加することを特徴とする請求項２６記載の半透過型液晶表示装置。
【請求項２８】
前記ソース配線と重なる部分に存在する前記凹凸構造の凸部と凹部の面積比率が、液晶パネルのゲート書き込み側からの距離が増加するに従い、凸部の面積比率が増加することを特徴とする請求項２７記載の半透過型液晶表示装置。
【請求項２９】
前記静電容量が連続的に変化することを特徴とする請求項２３又は２６記載の半透過型液晶表示装置。
【請求項３０】
反射部と透過部とを有する凹凸構造から成る半透過層が形成された半透過型液晶表示装置において、
前記透過部の面積比率が異なる画素を有することを特徴とする半透過型液晶表示装置。
【請求項３１】
前記透過部の面積比率によらず、パネル反射率がほぼ一定となる面積比率の範囲を有することを特徴とする請求項３０記載の半透過型液晶表示装置。
【請求項３２】
反射部と透過部とを有する凹凸構造から成る半透過層が形成された半透過型液晶表示装置において、
前記透過部が、前記凹凸構造の有する傾斜角が１０°以上の部分を含む領域に形成されたことを特徴とする半透過型液晶表示装置。
【請求項３３】
反射部と透過部とを有する凹凸構造から成る半透過層が形成された半透過型液晶表示装置において、
前記透過部が、前記凹凸構造の有する傾斜角が１０°以上の部分と、２°以下の部分とを含む領域に形成されたことを特徴とする半透過型液晶表示装置。
【手続補正２】
【補正対象書類名】明細書
【補正対象項目名】０００８
【補正方法】変更
【補正の内容】
【０００８】
本発明の関連技術にかかる第ａの発明は、反射部と透過部とを有する凹凸構造から成る半透過層が形成された半透過型液晶表示装置において、前記透過部が、前記凹凸構造のほぼ平坦な部分を含む領域に形成されたことを特徴とする。凹凸構造のほぼ平坦な部分（即ち、傾斜角が極めて小さな部分）は、パネル反射率に寄与しないばかりか、鏡面反射となるためかえって表示性能が低下する原因となる。そこで、上記構成の如く、凹凸構造のほぼ平坦な部分を含む領域に透過部を形成すれば、鏡面反射を防止できると共に、透過部が存在することによりバックライトからの光透過率を向上させることができる。尚、具体的な作用効果については、後述する。
【手続補正３】
【補正対象書類名】明細書
【補正対象項目名】０００９
【補正方法】変更
【補正の内容】
【０００９】
本発明の関連技術にかかる第ｂの発明は、第ａの発明において、前記平坦な部分の前期凹凸構造が有する傾斜角が、０°以上２°以下であることを特徴とする。凹凸構造を有する半透過層の反射性能は、反射部の凹凸構造が有する傾斜角で決定される。このとき、周囲から入射する光を効率的に観察者方向に集光するには、傾斜角は２°から１０°程度を特定の分布で配置する必要がある。このとき、傾斜角が２°以下と小さい凹凸は鏡面反射に近くなり光を集光する効果が小さい。また鏡面反射により階調反転が発生し視認性が極端に低下する。したがって、２°以下と小さい傾斜角を有する箇所は、パネル反射率に寄与しないか、鏡面反射のためかえって表示性能が低下する原因となる。このため、従来は、傾斜角が小さい部分を設けないように反射層を形成することに重点がおかれていた。しかし、本発明者らはバックライトを有する半透過型ディスプレイでは、傾斜角が小さい部分を透過部とすることで鏡面反射を防ぐと共に、パネル反射率の向上を図ることができることを見出した。
【手続補正４】
【補正対象書類名】明細書
【補正対象項目名】００１４
【補正方法】変更
【補正の内容】
【００１４】
本発明の関連技術にかかる第ｃの発明は、第ａの発明において、前記平坦な部分の前記凹凸構造が有する傾斜角が、０°以上４°以下であることを特徴とする。このように、傾斜角４°以下を平坦な領域と定義すると、正反射方向に近い位置での反射率は低下するが、正反射方向から離れた視認方向でのパネル反射率は変わらず、透過率が一層向上したパネルが得られる。
【手続補正５】
【補正対象書類名】明細書
【補正対象項目名】００１５
【補正方法】変更
【補正の内容】
【００１５】
本発明の関連技術にかかる第ｄの発明は、第ａの発明において、前記透過部の少なくとも一部が透明電極を有しないことを特徴とする。前記透過部の面積が小さければ、透過部に透明電極が無くても周囲の反射層と対向間の電界で透過部上の液晶の電界応答が可能となるため、上記と同様の作用効果が発揮される。
【手続補正６】
【補正対象書類名】明細書
【補正対象項目名】００１６
【補正方法】変更
【補正の内容】
【００１６】
本発明の関連技術にかかる第ｅの発明は、第ａの発明において、前記透過部が透明電極を有することを特徴とする。上記の如く、透過部の面積が小さければ、透過部に透明電極が無くても良いが、透過部の面積が大きければ、透過部に透明電極が存在するのが望ましいという理由による。
【手続補正７】
【補正対象書類名】明細書
【補正対象項目名】００１７
【補正方法】変更
【補正の内容】
【００１７】
第１の態様の本発明は、反射部と透過部とを有する凹凸構造から成る半透過層が形成された半透過型液晶表示装置において、前記透過部が、前記凸部の頂点を含み、更に前記頂点を中心として対称に形成されたことを特徴とする。凸部中には平坦な部分が存在するので、その部分を含む領域を透過部とすれば、第ａの発明と同様の作用効果を発揮する。
【手続補正８】
【補正対象書類名】明細書
【補正対象項目名】００１８
【補正方法】変更
【補正の内容】
【００１８】
また、上記構成の如く、透過部を凹凸構造の少なくとも凸部の頂点を含む領域に形成すると、頂点は凹凸構造における平坦な部分となるので、パネル反射率の低下を防ぐとともに透過時の輝度向上を図ることができる。即ち、凸部の頂点の如く、パネル反射率に寄与しない部分を透過部とすることで、反射率と透過率との向上の両立を図ることができる。
【手続補正９】
【補正対象書類名】明細書
【補正対象項目名】００１９
【補正方法】変更
【補正の内容】
【００１９】
本発明にかかる第αの発明は、第１の態様の本発明において、前記透過部が、前記凸部の頂点を含み、更に前記頂部に対して非対称に形成されたことを特徴とする。
【手続補正１０】
【補正対象書類名】明細書
【補正対象項目名】００２０
【補正方法】変更
【補正の内容】
【００２０】
本発明にかかる第βの発明は、第１の態様の本発明において、前記透過部が、凸部の半面に設けられていることを特徴とする。上記構成の如く、透過部が凸部の半面に設けられていれば（具体的には、観察者側に位置する凸部の半面に主として透過部を設ける一方、その反対側の凸部の半面に反射層を設けていれば）、観察者の体で外光が反射し、観察者側からパネルに入射しても、外光は透過部から裏面側に出射するため、映りこみが減少し、この結果、視認性が向上する。
【手続補正１１】
【補正対象書類名】明細書
【補正対象項目名】００２１
【補正方法】変更
【補正の内容】
【００２１】
本発明にかかる第γの発明は、第１の態様の本発明において前記凸部の断面が複数の傾斜面から成る非対称形状を有し、前記透過部が前記非対称形状の急峻な傾斜面に設けられていることを特徴とする。上記構成であれば、観察者側に急峻な傾斜面を位置させた場合には、バックライト光が凸部の透過部から斜めに入射することで、透過時の輝度が向上する。また、上面から見るとほぼ全面が反射層となるため、反射率も向上するという効果がある。
【手続補正１２】
【補正対象書類名】明細書
【補正対象項目名】００２２
【補正方法】変更
【補正の内容】
【００２２】
第２の態様の本発明は、反射部と透過部とを有する凹凸構造から成る半透過層が形成された半透過型液晶表示装置において、前記凹凸構造の凸部の断面形状が台形状であり、前記透過部が、少なくとも前記台形形状の上面の一部を含む領域に形成されたことを特徴とする。台形形状の上面は平坦であるので、その一部を含む領域に透過部を形成すれば上記と同様の作用効果が得られる。
【手続補正１３】
【補正対象書類名】明細書
【補正対象項目名】００２３
【補正方法】変更
【補正の内容】
【００２３】
第３の態様の本発明は、第２の態様の本発明において、前記凸部の上面形状が、多角形であることを特徴とする。凸部の平面形状を多角形にすると、傾斜面の方位角が任意に設定でき、視角方位を容易に調整するという作用効果がある。
【手続補正１４】
【補正対象書類名】明細書
【補正対象項目名】００２４
【補正方法】変更
【補正の内容】
【００２４】
本発明の関連技術にかかる第ｆの発明は、反射部と透過部とを有する凹凸構造から成る半透過層が形成された半透過型液晶表示装置において、前記透過部が、少なくとも前記凹凸構造の凹部の底部を含む領域に形成されたことを特徴とする。
【手続補正１５】
【補正対象書類名】明細書
【補正対象項目名】００２５
【補正方法】変更
【補正の内容】
【００２５】
本発明の関連技術にかかる第ｇの発明は、第ｆの発明において、前記凹凸構造の凹部が底部を有し、更に凹部の底部が平坦であることを特徴とする。少なくとも凹部の平坦部を含む領域に透過部が形成されていれば、凹部の平坦部はパネル反射率に寄与しないということから、上記と同様にパネル反射率と透過率との向上を図ることができる。具体的に、図２３を用いて説明する。図２３は、本発明の半透過型液晶パネルの反射層での光線軌跡の一例を示す説明図である。凸部４００間の部分４０１をほぼ平坦とし、当該部分４０１を透過部とすることにより、反射率と透過率との向上を図ることができる。
【手続補正１６】
【補正対象書類名】明細書
【補正対象項目名】００２６
【補正方法】変更
【補正の内容】
【００２６】
本発明の関連技術にかかる第ｈの発明は、第ｆの発明において、前記反射部が、前記凸部の頂部に対して非対称に形成されたことを特徴とする。本発明の関連技術にかかる第ｉの発明は、第ｈの発明において、前記反射部が、前記凸部の半面に設けられたことを特徴とする。
【手続補正１７】
【補正対象書類名】明細書
【補正対象項目名】００２８
【補正方法】変更
【補正の内容】
【００２８】
第４の態様の本発明は、反射部と透過部を有する凹凸構造から成る半透過層が形成された半透過型液晶表示装置において、前記透過部が、少なくとも前記凹凸構造の凸部の頂点を含む領域と、凹部の底部を含む領域とに形成されたことを特徴とする。このような構成であれば、反射率と透過率とをより一層向上させることができる。
【手続補正１８】
【補正対象書類名】明細書
【補正対象項目名】００２９
【補正方法】変更
【補正の内容】
【００２９】
第５の態様の本発明は、第４の態様の本発明において、前記凸部の頂点と、透過部が形成された前記凹部との領域が、ほぼ平坦であることを特徴とする。
第６の態様の本発明は、第1又は第３の態様の本発明において、前記透過部が、互いに独立して形成されたことを特徴とする。
【手続補正１９】
【補正対象書類名】明細書
【補正対象項目名】００３０
【補正方法】変更
【補正の内容】
【００３０】
第７の態様の本発明は、第１又は第３の態様の本発明において、前記透過部が、ランダムに配置されたことを特徴とする。このように透過部の配置をランダムにすると、回折が発生せず、色づきや輝度ムラがないパネルを得ることができる。
【手続補正２０】
【補正対象書類名】明細書
【補正対象項目名】００３１
【補正方法】変更
【補正の内容】
【００３１】
第８の態様の本発明は、第５の態様の本発明において、前記透過部が、互いに一部が繋がった連続的な形状から形成されたことを特徴とする。第９の態様の本発明は、第５の態様の本発明において、発明において、前記反射部が、互いに一部が繋がった連続的な形状から形成されたことを特徴とする。反射部を導電性材料で形成した場合、反射部を互いに一部が繋がった連続的な形状とすることで、コンタクトホールにおける電気的接続を容易に図ることができる。
【手続補正２１】
【補正対象書類名】明細書
【補正対象項目名】００３２
【補正方法】変更
【補正の内容】
【００３２】
第１０の態様の本発明は、反射部と透過部とを有する凹凸構造から成る半透過層が形成された半透過型液晶表示装置において、前記凹凸構造上に、カラーフィルタ層が形成され、前記凹凸構造における凸部上のカラーフィルタ層の厚みをｄ１、凹部上のカラーフィルタ層の厚みをｄ２としたときに、ｄ１＜ｄ２が成り立つことを特徴とする。
【手続補正２２】
【補正対象書類名】明細書
【補正対象項目名】００３４
【補正方法】変更
【補正の内容】
【００３４】
第１１の態様の本発明は、第１０の態様の本発明において、前記ｄ２が、前記ｄ１の略２倍であることを特徴とする。上記構成であれば、バックライトからの透明光と外光とにおけるカラーフィルタ層の透過距離が等しくなるので、透過時と反射時とで、ほぼ同様の色再現性が得られる。
【手続補正２３】
【補正対象書類名】明細書
【補正対象項目名】００３５
【補正方法】変更
【補正の内容】
【００３５】
第１２の態様の本発明は、第１０の態様の本発明において、請求項２５に記載の発明は、基板上のゲート配線と一部が重なる凹凸構造から成る半透過層が形成された半透過型液晶表示装置において、前記凹凸構造が前記ゲート配線と重なる部分の静電容量が、液晶パネルのゲート書き込み側からの距離が増加するに従い、減少することを特徴とする。
第１３の態様の本発明は、基板上のゲート配線と一部が重なる凹凸構造から成る半透過層が形成された半透過型液晶表示装置において、前記凹凸構造が前記ゲート配線と重なる部分の平均的な層厚が、液晶パネルのゲート書き込み側からの距離が増加するに従い、増加することを特徴とする。
【手続補正２４】
【補正対象書類名】明細書
【補正対象項目名】００３６
【補正方法】変更
【補正の内容】
【００３６】
第１４の態様の本発明は、第１３の態様の本発明において、前記ゲート配線と重なる部分に存在する前記凹凸構造の凸部と凹部の面積比率が、液晶パネルのゲート書き込み側からの距離が増加するに従い、凸部の面積比率が増加することを特徴とする。
第１５の態様の本発明は、基板上のソース配線と一部が重なる凹凸構造から成る半透過層が形成された半透過型液晶表示装置において、前記凹凸構造が前記ソース配線と重なる部分の静電容量が、液晶パネルのゲート書き込み側からの距離が増加するに従い、減少することを特徴とする。
【手続補正２５】
【補正対象書類名】明細書
【補正対象項目名】００３７
【補正方法】変更
【補正の内容】
【００３７】
第１６の態様の本発明は、第１５の態様の本発明において、前記凹凸構造が前記ソース配線と重なる部分の平均的な層厚が、液晶パネルのゲート書き込み側からの距離が増加するに従い、増加することを特徴とする。
第１７の態様の本発明は、第１６の態様の本発明において、前記ソース配線と重なる部分に存在する前記凹凸構造の凸部と凹部の面積比率が、液晶パネルのゲート書き込み側からの距離が増加するに従い、凸部の面積比率が増加することを特徴とする。
【手続補正２６】
【補正対象書類名】明細書
【補正対象項目名】００３８
【補正方法】変更
【補正の内容】
【００３８】
第１８の態様の本発明は、第１２又は１５の態様の本発明において、前記静電容量が連続的に変化することを特徴とする。ここで、第１２〜１８の態様の本発明の作用効果について、以下に説明する。
【手続補正２７】
【補正対象書類名】明細書
【補正対象項目名】００４６
【補正方法】変更
【補正の内容】
【００４６】
本発明の関連技術にかかる第１２の発明は、反射部と透過部とを有する凹凸構造から成る半透過層が形成された半透過型液晶表示装置において、前記透過部が、少なくとも前記凹凸構造の凸部の頂点を含む領域に形成され、前記凹凸構造の凸部の下側にマイクロレンズが配置されたことを特徴とする。このような構成であれば、マイクロレンズによりバックライトの光が集光されて、凸部の頂点に位置する透過部から出射するので、透過時の高輝度化を図ることができる。
【手続補正２８】
【補正対象書類名】明細書
【補正対象項目名】００４７
【補正方法】変更
【補正の内容】
【００４７】
第１９の態様の本発明は、反射部と透過部とを有する凹凸構造から成る半透過層が形成された半透過型液晶表示装置において、透過部の面積比率が異なる画素を有することを特徴とする。液晶表示装置ではバックライトからの距離に従い、輝度ムラが発生する。このとき、バックライトが配置された部位に近いほどパネルの輝度が高くなる傾向がある。したがって、面内位置により、画素の透過部の面積比率を変えると面内輝度の均一化を図ることができる。具体的には、バックライトに近い側ほど、透過部の面積比率を小さくすれば良い。
【手続補正２９】
【補正対象書類名】明細書
【補正対象項目名】００４８
【補正方法】変更
【補正の内容】
【００４８】
第２０の態様の本発明は、第１９の態様の本発明において、前記透過部の面積比率によらず、パネル反射率がほぼ一定となる面積比率の範囲を有することを特徴とする。凹凸構造の傾斜角が平坦な部位に透過部を設けると、平坦部はパネル反射率に寄与しないため、透過部の面積比率によらず、パネル反射率がほぼ一定となる。このため、上記構成により透過時と反射時の両方でパネル面内輝度の均一化を図ることができる。
【手続補正３０】
【補正対象書類名】明細書
【補正対象項目名】００４９
【補正方法】変更
【補正の内容】
【００４９】
第２１の態様の本発明は、反射部と透過部とを有する凹凸構造から成る半透過層が形成された半透過型液晶表示装置において、前記透過部が、前記凹凸構造の有する傾斜角が１０°以上の部分を含む領域に形成されたことを特徴とする。
第２２の態様の本発明は、反射部と透過部とを有する凹凸構造から成る半透過層が形成された半透過型液晶表示装置において、前記透過部が、前記凹凸構造の有する傾斜角が１０°以上の部分と、２°以下の部分とを含む領域に形成されたことを特徴とする。
【手続補正３１】
【補正対象書類名】明細書
【補正対象項目名】００５１
【補正方法】変更
【補正の内容】
【００５１】
【発明の実施の形態】
（実施の形態１）
図１は本発明の実施の形態１に係わる半透過型液晶表示装置のアレイ基板の上面図、図２は本発明の実施の形態１に係わる半透過型液晶表示装置のアレイ基板の断面図である。凹凸構造５を有する反射層（反射部）３において、凹凸構造５の凸部の頂点（頂部）７を含み、更に前記頂点を中心として対称な領域に透過部６が形成されている。
【手続補正３２】
【補正対象書類名】明細書
【補正対象項目名】００５３
【補正方法】変更
【補正の内容】
【００５３】
（参考の形態１）
図３は本発明の参考の形態１に係わる半透過型液晶表示装置のアレイ基板の上面図、図４は本発明の実施の形態２に係わる半透過型液晶表示装置のアレイ基板の断面図である。画素電極２０には、凸状反射部２１と、これら凸状反射部２１間に設けられると共にほぼ平坦な形状を成す透過部６が形成される他は、上記実施の形態１とほぼ同様の構成である。このような構成であれば、凸状反射部２１により反射率が向上すると共に、大面積の透過部６の存在により、一層透過率が向上するという効果が得られる。
【手続補正３３】
【補正対象書類名】明細書
【補正対象項目名】００５４
【補正方法】変更
【補正の内容】
【００５４】
（実施の形態２）
図５は、実施の形態２を示すアレイ基板の断面図であり、カラーフィルタ層３１をアレイ基板９上に形成した場合を示す。凹部３３上のカラーフィルタ層３１の層厚をｄ２、凸部３０上のカラーフィルタ層３１の層厚をｄ１としたとき、ｄ１＜ｄ２となるように規制している。また、画素電極２０には、凸状反射部２１と、これら凸状反射部２１間の平坦な領域及び凸部の下部を含む領域に透過部６が形成されている。
【手続補正３４】
【補正対象書類名】明細書
【補正対象項目名】００６０
【補正方法】変更
【補正の内容】
【００６０】
（実施の形態６）
図９は、本発明の実施の形態６に係わる半透過型液晶表示装置の断面図である。凹凸構造５の凸部の頂点７を含む領域にバックライト（図示せず）からの光を透過する透過部６が設けられる一方、裏面側にマイクロレンズ７０が形成されている。上記マイクロレンズ７０によりバックライト光７１が、透過部６に集光され出射する。このため、本来なら反射層３の裏面で反射されて観察者側に出射しない光も透過部６を透過することが可能となり、高輝度化を図ることができる。また、凹部の底部を含む領域にも、透過部６が設けられている。
【手続補正３５】
【補正対象書類名】明細書
【補正対象項目名】００７３
【補正方法】変更
【補正の内容】
【００７３】
（参考例１）
前記参考の形態１に対応する参考例であり、参考の形態１にて示した図３及び図４を用いて説明する。実施の形態１とほぼ同様の構成であるが、凹凸構造５の凸部にのみ反射層を形成し凸状反射部２１とすると共に、レジストを一層構成とすることで、凹部を、ほぼ平坦な構造とし、且つ、この平坦な凹部を透過部とすることでバックライトを透過させる構造とした点で異なる。
【手続補正３６】
【補正対象書類名】明細書
【補正対象項目名】００７７
【補正方法】変更
【補正の内容】
【００７７】
（実施例２）
前記実施の形態２に対応する実施例であり、実施の形態２にて示した図５を用いて説明する。先ず、絶縁層２７上に、透明電極１５を蒸着し、さらに凸部３０を高さ３μｍ、幅９μｍとなるように形成した。凸部３０間は平坦な凹部３３とし、この凹部３３の幅は３μｍから５μｍとした。また、上記凸部３０には反射層３を設けているので、凹部３３が透過部となる。このとき、画素８に対する透過部の面積比率は４８％とした。
【手続補正３７】
【補正対象書類名】明細書
【補正対象項目名】００８１
【補正方法】変更
【補正の内容】
【００８１】
（実施例３）
前記実施の形態３に対応する実施例であり、実施の形態３にて示した図６を用いて説明する。画素電極２０の凹部を第２透過部４１と、凸状反射部２１の頂点７を含む領域を第１透過部４０とした。このような構成であれば、平坦な部分がほぼ全域にわたって透過部となるため、透過型時の輝度向上と反射時の鏡面反射防止の効果が得られる。
【手続補正３８】
【補正対象書類名】明細書
【補正対象項目名】００８２
【補正方法】変更
【補正の内容】
【００８２】
（実施例４）
前記実施の形態４に対応する実施例であり、実施の形態４にて示した図７及び図８（ａ）（ｂ）を用いて説明する。ゲート配線１の幅を４μｍとしたときに、画素５８をゲート配線１と１. ５μｍの幅で重なる構成とした。このとき、隣り合う画素電極間の距離は１μｍであった。そして、凹凸構造５を作成する際の塗布レジスト厚を３μｍとしたとき、現像後の凹凸構造５の最大段差は２μｍであった。また、レジストの下に形成した絶縁層の層厚は１．５μｍとした。したがって、ゲート配線１と画素５８とが重なった領域では、ゲート配線１から凹凸構造５の凸部の頂点までの厚みは４．５μｍ、凹部の底辺までの厚みは２．５μｍであった。
【手続補正３９】
【補正対象書類名】明細書
【補正対象項目名】００８６
【補正方法】変更
【補正の内容】
【００８６】
（実施例５）
前記実施の形態６に対応する実施例であり、実施の形態６にて示した図９を用いて説明する。先ず、アレイ基板９上に、ゲート配線１、第１絶縁層１０等を形成した後、紫外線硬化型樹脂を用いてマイクロレンズ７０を作成した。次に、第２絶縁層１１を用いて全体を平坦化した後、凹凸構造５等を形成した。このとき、凹部３３の頂点７は透過部とした。マイクロレンズ７０のレンズ配置と凸部３０の配置とを重ねることで、バックライト光７１が、マイクロレンズ７０で集光されて、透過部６から出射する構成とした。このとき、マイクロレンズ７０のレンズ幅は１０μｍ、厚みは１. ５μｍとした。また、凸部の幅は１２μｍとした。
【手続補正４０】
【補正対象書類名】明細書
【補正対象項目名】００８９
【補正方法】変更
【補正の内容】
【００８９】
（実施例６）
前記実施の形態７に対応する実施例であり、実施の形態７にて示した図１０を用いて説明する。バックライト２３からの距離に応じて、画素の透過部の面積比率を変えた。図１８に、パネル内の相対位置と透過部の面積比率及びびパネル反射率との関係を示した。パネル内の相対位置は、バックライト側が０、反対側を１と規定した。図１８に示すように、バックライトから遠ざかるに従い、面積比率を３５％（相対位置０）から５０％（相対位置１）に変化させたとき、パネル反射率は３５％から３０％に減少した。しかし、減少の程度は極めて小さく、ほぼ面内で均一な反射率であると考えられる。また、図１８には示していないが、バックライト光の透過強度も面内でほぼ均一であることが認められた。
【手続補正４１】
【補正対象書類名】明細書
【補正対象項目名】００９１
【補正方法】変更
【補正の内容】
【００９１】
（実施例７）
前記実施の形態８に対応する実施例であり、実施の形態８にて示した図１１を用いて説明する。アレイ基板９上に凹凸構造５を幅１０μｍ、高さ３μｍで形成した。図１９は凹凸構造５の傾斜角分布を示すグラフである。傾斜角が０°から１０°にかけて、分布はほぼ単調に増加し、１０°をピークに単調に減少した。最大の傾斜角は２０°であった。